Podtech/llm-jp-corpus-v4-ja_patent huggingface dataset:
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
移動通信システムにおける移動端末がセルを選択する方法であって、
ＰＬＭＮ再選択の際に使用可能なＰＬＭＮを周期的に探索するステップと、
前記使用可能なＰＬＭＮのセルを検出した場合に前記使用可能なＰＬＭＮのセルから１つ又は複数のパラメータを取得するステップと、
前記取得した１つ又は複数のパラメータに基づいて前記セルを評価するステップと、
前記評価の結果に基づいて前記セルを選択するステップと
を具備することを特徴とする移動端末のセル選択方法。
【請求項２】
前記１つ又は複数のパラメータは、信号レベル又は信号品質に関連した少なくとも１つのオフセット値を含むことを特徴とする請求項１に記載の移動端末のセル選択方法。
【請求項３】
前記１つ又は複数のパラメータは、前記使用可能なＰＬＭＮのセルが送信するシステム情報ブロック（ＳＩＢ）又はマスター情報ブロック（ＭＩＢ）から取得される請求項１又は請求項２に記載の移動端末のセル選択方法。
【請求項４】
前記評価するステップは、信号レベル及び信号品質の中の少なくとも１つを評価するステップをさらに含むことを特徴とする請求項１乃至請求項３の中のいずれか１項に記載の移動端末のセル選択方法。
【請求項５】
前記少なくとも１つのパラメータは、前記使用可能なＰＬＭＮのセルからブロードキャストされることを特徴とする請求項１乃至請求項４の中のいずれか１項に記載の移動端末のセル選択方法。
【請求項６】
移動端末がセルを選択する移動通信システムであって、
複数のＰＬＭＮと、
ＰＬＭＮ再選択の際に、前記複数のＰＬＭＮの中で使用可能なＰＬＭＮを周期的に探索し、前記使用可能なＰＬＭＮのセルを検出した場合に、前記使用可能なＰＬＭＮのセルから１つ又は複数のパラメータを取得し、前記取得した１つ又は複数のパラメータに基づいて前記セルを評価し、前記評価の結果に基づいて前記セルを選択する移動端末と
を具備することを特徴とする移動通信システム。
【請求項７】
前記１つ又は複数のパラメータは、信号レベル又は信号品質に関連した少なくとも１つのオフセット値を含むことを特徴とする請求項６に記載の移動通信システム。
【請求項８】
前記１つ又は複数のパラメータは、前記使用可能なＰＬＭＮのセルが送信するシステム情報ブロック（ＳＩＢ）又はマスター情報ブロック（ＭＩＢ）から取得されることを特徴とする請求項６又は請求項７に記載の移動通信システム。
【請求項９】
前記移動端末が前記セルを評価する際に信号レベル及び信号品質の中の少なくとも１つを評価することを特徴とする請求項６乃至請求項８の中のいずれか１項に記載の移動通信システム。
【請求項１０】
前記少なくとも１つのパラメータは、前記使用可能なＰＬＭＮのセルからブロードキャストされることを特徴とする請求項６乃至請求項９の中のいずれか１項に記載の移動通信システム。
【手続補正２】
【補正対象書類名】明細書
【補正対象項目名】００５５
【補正方法】変更
【補正の内容】
【００５５】
したがって、本発明の実施形態の目的は、移動通信システムにおける移動端末がセルを選択する方法及びそのシステムを提供することにある。
本発明の実施形態の他の目的は、移動通信システムにおけるＰＬＭＮピンポン回避のための装置及び方法を提供することにある。
本発明の実施形態のまた他の目的は、３Ｇカバリッジの小さいギャップによってＵＥが２Ｇ ＮＲＰを再選択することを防止するための装置及び方法を提供することにある。
ＵＥは、このＵＥがアイドルモードにあるとしても、３Ｇカバリッジの喪失の後にＰＬ
ＭＮ再選択が禁止される間にタイマーを使用しなければならない。
【手続補正３】
【補正対象書類名】明細書
【補正対象項目名】００５６
【補正方法】変更
【補正の内容】
【００５６】
上述した目的を達成するために、本発明の一態様によれば、ネットワークの反復的な変化を防止するように無線品質基準を特定することにより、セルラー通信システムにおける移動端末のネットワーク選択及び／又はネットワーク再選択の改善のための方法を提供する。
本発明の他の態様によれば、ＰＬＭＮ選択の手続きにおいて、ＰＬＭＮの反復的な変化の回避のための無線品質基準に基づいて、ＰＬＭＮの選択又は再選択を行うことが適用されたセルラー通信ネットワークで使用するための移動端末を提供する。
本発明のさらなる態様によれば、ＰＬＭＮの選択又は再選択を行う移動端末のために無線品質基準を提供することが適用されたセルラー通信ネットワークにおけるネットワーク要素を提供する。
本発明のさらに他の態様によれば、移動通信システムにおける移動端末がセルを選択する方法は、ＰＬＭＮ再選択の際に使用可能なＰＬＭＮを周期的に探索するステップと、前記移動端末が前記使用可能なＰＬＭＮのセルを検出した場合に前記使用可能なＰＬＭＮのセルから１つ又は複数のパラメータを取得するステップと、前記取得した１つ又は複数のパラメータに基づいて前記セルを評価するステップと、前記評価の結果に基づいて前記セルを選択するステップとを具備することを特徴とする。
本発明のさらなる他の態様によれば、移動端末がセルを選択する移動通信システムは、複数のＰＬＭＮと、ＰＬＭＮ再選択の際に、前記複数のＰＬＭＮの中で使用可能なＰＬＭＮを周期的に探索し、前記使用可能なＰＬＭＮのセルを検出した場合に、前記使用可能なＰＬＭＮのセルから１つ又は複数のパラメータを取得し、前記取得した１つ又は複数のパラメータに基づいて前記セルを評価し、前記評価の結果に基づいて前記セルを選択する移動端末とを具備することを特徴とする。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
被覆素子層を有した基板を設ける工程と、
複数の素子を基板の内部かつ前記被覆素子層の内部に形成する工程と、
一つ以上の相互接続層を前記被覆素子層の上に形成する工程と、
誘電体層を、前記一つ以上の相互接続層の内の最上部相互接続層を取り囲むように形成する工程と、
開口部を前記誘電体層の中に形成する工程と、
前記開口部に導電材料を充填する工程と、
前記誘電体層の露出部分を除去して、誘電体層よりも上に延びる導電材料の突出パッドを形成する工程と、
前記誘電層に収納開口部を突出パッドに隣接して形成する工程とを備える、半導体デバイスの製造方法。
【請求項２】
前記開口部を誘電体層の中に形成することにより、誘電体層の改質部分が開口部の側壁の一部分に沿って形成される、請求項１記載の方法。
【請求項３】
収納開口部を形成する工程では更に、前記誘電体層の改質部分を除去して収納開口部を形成する、請求項３記載の方法。
【請求項４】
開口部を形成する工程では更に、
パターニング済みマスク層を誘電体層上の絶縁キャップ層の上に設ける工程と、
誘電体層及び絶縁キャップ層をエッチングする工程と、
パターニング済みマスク層をプラズマ雰囲気中の酸化性化学種に曝露して除去する工程と、
収納開口部のサイズを制御すべく誘電体層の改質部分の大きさを決定するために、パターニング済みマスク層の除去を制御する工程とを備える、請求項３記載の方法。
【請求項５】
基板と、
基板の上の素子層と、
基板及び素子層の内部に形成される複数の素子と、
素子層の上の一つ以上の相互接続層と、
一つ以上の相互接続層の内の最上部相互接続層を取り囲み、かつ導電材料で充填される開口部、及び誘電体層よりも上に延びる突出パッドを有する誘電体層と、
突出パッドに隣接する収納開口部とを備える半導体デバイス。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
カラー画像を捕獲するためのイメージ・センサーであって、
a）複数の行と列に配置された第1の画素群と第2の画素群を有する二次元アレイを備えていて、第1の画素群からの画素は、第2の画素群からの画素よりも分光光応答が狭く、第1の画素群は、少なくとも2つの色のセットに対応する分光光応答を持つ画素を備え；
b）第1の画素群と第2の画素群の配置が、少なくとも6個の画素を含む最小繰り返し単位を持つあるパターンを規定していて、その最小繰り返し単位の少なくともいくつかの行または列が第2の画素群からの画素だけで構成され、その最小繰り返し単位のいくつかの行または列が第1の画素群からの画素だけで構成され、第1の画素群からの画素だけで構成された行または列は、第1の画素群からの最大で2つの色の画素で構成されている、イメージ・センサー。
【請求項２】
1つの最小繰り返し単位の各行または各列が、第1の画素群と第2の画素群いずれか一方からの画素だけで構成されている、請求項1に記載のイメージ・センサー。
【請求項３】
カラー画像を捕獲するためのイメージ・センサーであって、
a）複数の行と列に配置された第1の画素群と第2の画素群を有する二次元アレイを備えていて、第1の画素群からの画素は、第2の画素群からの画素よりも分光光応答が狭く、第1の画素群は、少なくとも2つの色のセットに対応する分光光応答を持つ画素を備え；
b）第1の画素群と第2の画素群の配置が、少なくとも6個の画素を含む最小繰り返し単位を持つあるパターンを規定していて、その最小繰り返し単位の少なくともいくつかの行または列が第2の画素群からの画素だけで構成されており；
c）少なくとも2つの隣り合った最小繰り返し単位からの似た色のいくつかの画素をまとめる手段を備える、イメージ・センサー。
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
サービスプロセッシング手段（１（ａ）〜１（ｆ））と、プレゼンスサーバ（８）とインタフェースし、次にインスタントメッセージングクライアント（１０）とインタフェースするためのインタフェースとを備え、
前記サービスプロセッシング手段が、インスタントメッセージングクライアント（１０）とのインタフェースを制御して、アプリケーションに従って双方向サービスを提供し、マルチメディアコンテンツの前記クライアントへのルーティングに関与する手段を備え、
前記システムがモーダルで、動的にクライアント（１０）とインタフェースして所望のサービスを現在のモードで提供し、かつサービスのモードがアプリケーションの状態と、許可されたユーザインタラクションの関連するグループとからなり、
前記プロセッシング手段が、サービスコア（１（ｆ））と、サービスのモードの持続的な記録を維持するためのモードデータベースマネージャ（１（ａ））とを備え、
前記サービスコア（１（ｆ））が前記モードデータベースマネージャ（１（ａ））とインタフェースして、特定のクライアント（１０）が関与するインタラクションの少なくとも２つのインスタントメッセージングセッションの間モードが持続できるようにするサービスシステム（１）。
【請求項２】
登録されたインスタントメッセージングユーザを管理するためのディレクトリマネージャ（１（ｂ））を更に備え、前記モードデータベースマネージャ（１（ａ））が登録ユーザについてのみモード状態を維持する請求項１に記載のサービスシステム。
【請求項３】
前記プロセッシング手段が、サービスのモードをプレゼンスネットワークの仮想ユーザとしてパブリッシュするためのプレゼンスコンポジタ（１（ｃ））と、前記プレゼンスコンポジタ（１（ｃ））とインタフェースするためのサービスコア（１（ｆ））とを備える請求項１又は２に記載のサービスシステム。
【請求項４】
前記プロセッシング手段がクライアントの表示画面上に表示するためのアバタを提供し、前記アバタが前記プレゼンスコンポジタ（１（ｃ））により記録された仮想ユーザをプレゼンスネットワークの仮想ユーザとして表しかつあるモードのサービスを表し、前記プロセッシング手段が、クライアントによる前記仮想ユーザの選択をあるモードのサービスの選択として取り扱い、前記プロセッシング手段が、前記あるモードのサービスが保持されていることの表示として前記アバタにより表わされる前記仮想ユーザの継続的存在を保持する請求項３に記載のサービスシステム。
【請求項５】
前記プロセッシング手段が、複数のユーザが前記モードで前記サービスにアクセスできるようにするメカニズムとして前記仮想ユーザを前記複数のユーザのバディとして利用可能にする請求項４に記載のサービスシステム。
【請求項６】
前記プロセッシング手段が、外部のメディアサーバ（４〜７）とのインタフェースを制御して、前記サービスを提供するためにマルチメディアコンテンツを検索する請求項１乃至５のいずれかに記載のサービスシステム。
【請求項７】
前記プロセッシング手段が、外部のメディアサーバ（４）とインタフェースするためのメディアセッションマネージャ（１（ｄ））を備える請求項６に記載のサービスシステム。
【請求項８】
前記プロセッシング手段が外部のアプリケーションサーバ（７）を呼び出して、サービスを提供するためのアプリケーション論理プログラムを実行する請求項６又は７に記載のサービスシステム。
【請求項９】
前記プロセッシング手段が外部のアプリケーションサーバ（７）を呼び出して、サービスを提供するためのアプリケーション論理プログラムを実行し、前記サービスコア（１（ｆ））が外部のアプリケーションサーバ（７）とインタフェースし、かつメディアセッションの管理のためのメディアセッションマネージャ（１（ｄ））とインタフェースする請求項３乃至８のいずれかに記載のサービスシステム。
【請求項１０】
サービスコア（１（ｆ））が、前記プレゼンスコンポジタ（１（ｃ））に命令してサービスモードを変化させるための手段を備える請求項３乃至９のいずれかに記載のサービスシステム。
【請求項１１】
前記サービスコア（１（ｆ））が、初期化の際に前記プレゼンスコンポジタ（１（ｃ））を呼び出して、サービスモードを表す仮想ユーザを含むプレゼンスネットワークのユーザをパブリッシュするための手段を備え、前記プレゼンスコンポジタ（１（ｃ））が外部のプレゼンスサーバ（８）とインタフェースして前記ユーザをパブリッシュする請求項３乃至１０のいずれかに記載のサービスシステム。
【請求項１２】
前記サービスコア（１（ｆ））が、前記プレゼンスコンポジタ（１（ｃ））を呼び出して、サービスモードの変化に応答して仮想ユーザのパブリケーションを変更するための手段を備える請求項１１に記載のサービスシステム。
【請求項１３】
前記サービスシステムが、モードの変化をトリガするための手段を備える請求項１乃至１２のいずれかに記載のサービスシステム。
【請求項１４】
前記サービスコアが、前記アプリケーションサーバからの入力に応答してモード変化の要件を決定し、前記サービスコアが前記メディアセッションマネージャに前記モード変化を命令する請求項８乃至１３のいずれかに記載のサービスシステム。
【請求項１５】
前記プロセッシング手段が更に、サブスクライバのメッセージデポジット、データの検索及びメッセージインベントリのためのメールストアとインタフェースするためのメールストアマネージャ（１（ｅ））を備え、モードがサブスクライバのメールボックスの状態を表わす請求項１乃至１４のいずれかに記載のサービスシステム。
【請求項１６】
前記サービスコア（１（ｆ））が、前記メールストアマネージャ（１（ｅ））に命令して、メールボックスの処理を実行させかつこの動作の結果を報告させる請求項１５に記載のサービスシステム。
【請求項１７】
前記サービスコア（１（ｆ））が、モード変化が発生したというアプリケーションからの通知に応答して前記メールストアマネージャに命令する請求項１６に記載のサービスシステム。
【請求項１８】
デジタルプロセッサ上で実行する際に請求項１乃至１７のいずれかに記載の前記サービスシステムの前記プロセッシング手段の動作を実現するためのソフトウェアコードからなるコンピュータ読み取り可能な媒体。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
光源によって放出された光の色相及び彩度を制御するための制御デバイスであって、
前記光源で利用できる色相、及び彩度の複数の組み合わせの可視表示を含む表面を有する本体と、
前記表面上での色相及び彩度の組み合わせの選択に応じて、選択された色相及び彩度を備える少なくとも一つの選択信号を生成する手段と、
前記選択された色相及び彩度の組み合わせに従って前記光の色相と彩度を制御するために、前記選択信号を前記光源に伝達する手段と、を備える、
ことを特徴とする制御デバイス。
【請求項２】
前記制御デバイスは、さらに前記光の輝度制御を行うことができ、
前記デバイスは、前記本体又は表面の操作を感知するための手段をさらに含み、
この手段は、前記本体の感知された操作に応じて輝度選択信号を生成する、
請求項１に記載のデバイス。
【請求項３】
前記本体は、ハウジングに回転可能に受け入れられている実質的な球体であり、
前記デバイスは、前記選択された色相及び彩度を決定するセンサをさらに含む、
請求項１に記載のデバイス。
【請求項４】
各々の彩度は、実質的に、前記球体上の互いに反対の位置に重複して表示されている、
請求項３に記載の制御デバイス。
【請求項５】
前記球体は、前記本体の周に沿って規定された色相選択曲線と、
前記本体の前記色相選択曲線と略直角なさらなる周の一部に沿って規定された彩度選択曲線と、を有する、
請求項３に記載の制御デバイス。
【請求項６】
前記センサは、前記ハウジング内に収容され、
前記デバイスは、前記ハウジング内の前記球体の一部を照らすための光源を備える、
請求項３に記載の制御デバイス。
【請求項７】
前記制御デバイスは、さらに前記光の輝度を制御でき、
前記ハウジングは、前記球体の並進を決定し、且つ前記光源の輝度を制御するために前記感知された並進に応じて輝度選択信号を生成するセンサを備える、
請求項３に記載の制御デバイス。
【請求項８】
前記可視表示は、円として表示されている、
請求項１に記載の制御デバイス。
【請求項９】
前記可視表示は、三角形として表示されている、
請求項１に記載の制御デバイス。
【請求項１０】
前記制御デバイスは、さらに前記光の輝度を制御でき、
前記表面は、変形可能な表面を備え、
前記デバイスは、前記表面の変形を決定でき、且つ前記光の輝度を制御するために前記感知された変形に応じて輝度選択信号を生成できるセンサを含む、
請求項１に記載の制御デバイス。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
扇形リボン状イオンビームを生成するリボン状イオンビーム発生器と、
前記リボン状イオンビーム発生器の下流に配置され、前記扇形リボン状イオンビームを少なくとも平行化して平行なリボン状イオンビームにする加速／減速平行化レンズシステムと、
前記加速／減速平行化レンズシステムの下流であって、前記平行なリボン状イオンビームが注入されるワークピースの前に配置されるエネルギーフィルタシステムと、
を備えるイオン注入システム。
【請求項２】
前記加速／減速平行化レンズシステムは、２５ｃｍ以上３０ｃｍ以下の長さを有する、請求項１に記載のイオン注入システム。
【請求項３】
前記エネルギーフィルタシステムは、２０ｃｍの長さを有する、請求項１または2に記載のイオン注入システム。
【請求項４】
前記加速／減速平行化レンズシステムは、前記扇形リボン状イオンビームを少なくとも平行化して前記平行なリボン状イオンビームにする一組の湾曲した静電プレートと、前記平行なリボン状イオンビームを加速または減速する一組の加速／減速レンズとを含む、請求項１から３の何れか１項に記載のイオン注入システム。
【請求項５】
前記一組の湾曲した静電プレートは、さらに、前記平行なリボン状イオンビームを加速または減速させる、請求項４に記載のイオン注入システム。
【請求項６】
前記平行なリボン状イオンビームは、前記ワークピースの前で２００ｅＶの低いエネルギーを有する、請求項１から５の何れか１項に記載のイオン注入システム。
【請求項７】
前記平行なリボン状イオンビームは、エネルギーコンタミネーションを含まない、請求項１から６の何れか１項に記載のイオン注入システム。
【請求項８】
ワークピースにイオン注入する方法であって、
扇形リボン状イオンビームを生成することと、
前記扇形リボン状イオンビームを同時に平行化して、加速または減速させることにより、平行なリボン状イオンビームにすることと、
前記平行化の直後に前記リボン状イオンビームからエネルギーコンタミネーションを除去することと、
前記平行なリボン状イオンビームをワークピースに注入することと、
を含む、方法。
【請求項９】
リボン状イオンビームのイオン注入システムのためのアーキテクチャであって、
扇形リボン状イオンビームを受け、前記扇形リボン状イオンビームを少なくとも平行化することにより平行なリボン状イオンビームにする加速／減速平行化レンズシステムと、
前記加速／減速平行化レンズシステムの下流であって、前記平行なリボン状イオンビームが注入されるワークピースの前に配置されるエネルギーフィルタシステムと、
を備えるアーキテクチャ。
【請求項１０】
前記加速／減速平行化レンズシステムは、２５ｃｍ以上３０ｃｍ以下の長さを有する、請求項９に記載のアーキテクチャ。
【請求項１１】
前記エネルギーフィルタシステムは、２０ｃｍの長さを有する請求項９または１０に記載のアーキテクチャ。
【請求項１２】
前記加速／減速平行化レンズシステムは、前記扇形リボン状イオンビームを少なくとも平行化して前記平行なリボン状イオンビームにする一組の湾曲した静電プレートと、前記平行なリボン状イオンビームを加速または減速する一組の加速／減速レンズとを含む、請求項９から１１の何れか１項に記載のアーキテクチャ。
【請求項１３】
前記一組の湾曲した静電プレートは、さらに、前記平行なリボン状イオンビームを加速または減速させる、請求項１２に記載のアーキテクチャ。
【請求項１４】
前記平行なリボン状イオンビームは、前記ワークピースの前で２００ｅＶの低いエネルギーを有する、請求項９から１３の何れか１項に記載のアーキテクチャ。
【請求項１５】
前記平行なリボン状イオンビームはエネルギーコンタミネーションを含まない、請求項９から１４の何れか１項に記載のアーキテクチャ。
【手続補正２】
【補正対象書類名】明細書
【補正対象項目名】００１９
【補正方法】変更
【補正の内容】
【００１９】
ワークピース１２８までの距離が短いので、レンズシステム１２０は、（減速後）ワークピース１２８の前でおよそ２００ｅＶまで下げられるエネルギーで実質的に平行なリボン状イオンビーム１１２をワークピース１２８に供給することができる。これは、低エネルギー化の達成という点で従来のシステムより勝る。エネルギーフィルタシステム１２２は、エネルギーコンタミネーションを実質的に含まない実質的に平行なリボン状イオンビーム１１２を提供する。さらに、少なくとも平行化する（ことによると加速または減速もし得る）レンズ１２６、および、加速／減速レンズ１３０の組は、一体化されるので、実質的に平行なリボン状イオンビーム１１２のワークピース１２８までの移動距離は、従来のシステムに比べ短くなる。例えば、一実施形態では、レンズシステム１２０は、およそ２５ｃｍ以上３０ｃｍ以下の長さを有し得る。また、一実施形態では、エネルギーフィルタシステム１２２の長さは、およそ２０ｃｍくらいであってよい。さらに、アーキテクチャ１００は、５０ｃｍ以下の長さを有してよく、これは、扇形の平行化レンズ単独での従来の長さ１ｍに比べて著しく短い。
【手続補正３】
【補正対象書類名】図面
【補正対象項目名】図２
【補正方法】変更
【補正の内容】
【図２】
2009524908.tif 000001
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
基板上にレイアウトされた複数の発光素子（ただし各発光素子は、第1の電極と、第2の電極と、これら電極の間に形成された1つ以上のエレクトロルミネッセンス層を備えており、少なくとも1つのエレクトロルミネッセンス層が発光し、少なくとも1つの電極は透明であり、第1の電極と第2の電極が1つ以上の発光領域を規定している）と、基板上に形成されていて、1つ以上のエレクトロルミネッセンス層を駆動して光を発生させるために第1の電極および／または第2の電極に接続されている電子部品と；
上記発光素子に接続されていて共通の信号を伝える複数のバスと；
これら複数のバスと交差していてこれら複数のバスを電気的に接続する複数の電気的相互接続部とを備えるアクティブ-マトリックス・エレクトロルミネッセンス・デバイスであって、
上記複数の発光素子が、4個の発光素子からなる複数のグループとして配置され、各グループは、上記バスと上記電気的相互接続部の交差部のまわりに配置された隣り合った4つの発光素子からなる4個組セルを形成しており、1つのバスのそれぞれの側に各4個組セルの2つの発光素子が形成され、1つの電気的相互接続部のそれぞれの側に各4個組セルの2つの発光素子が形成されており；
各4個組セルのそれぞれの発光素子は、その4個組セルの発光素子を互いに隔てるバスまたは電気的相互接続部に接続されていて、各4個組セルは、隣の4個組セルと共通する1つのバスまたは電気的相互接続部を共有し、共通する1つのバスを共有する隣り合った4個組セルは、共通する相互接続部によって隔てられておらず、共通する相互接続部を共有する隣り合った4個組セルは、共通のバスによって隔てられていないアクティブ・マトリックス・デバイス。
【請求項２】
1つのバスまたは相互接続部の一方の側にある4個組セルの発光素子が、そのバスまたは相互接続部の他方の側に、その4個組セルの発光素子が反転されたレイアウトを持つ、請求項1に記載のアクティブ・マトリックス・デバイス。
【請求項３】
各4個組セルが、異なる4色の発光素子を有する単一の画素を備える、請求項1に記載のアクティブ・マトリックス・デバイス。
【手続補正書】
【提出日】平成22年1月8日(2010.1.8)
【手続補正１】
【補正対象書類名】特許請求の範囲
【補正対象項目名】請求項１
【補正方法】変更
【補正の内容】
【請求項１】
固体状態光源、少なくとも１つの変換要素、及び光散乱要素を備える発光装置であって、
−前記固体状態光源が、一次放射の第１部分を前記光散乱要素への入射に関して、及び、前記一次放射の第２部分を少なくとも１つの二次放射への少なくとも部分変換のために前記変換要素への入射に関して、放射するように設けられ、
−前記光散乱要素が、前記一次放射の前記第１部分、前記二次放射、及び前記変換要素において変換されていなかった前記一次放射の前記第２部分の一部、からランバート光分布を有する混合放射光を生成するように設けられ、
−前記一次放射の前記第１部分が、前記変換要素を通過することなく、前記発光器を離れる、
発光装置。
【手続補正２】
【補正対象書類名】明細書
【補正対象項目名】０００６
【補正方法】変更
【補正の内容】
【０００６】
本発明の目的は、固体状態光源、少なくとも１つの変換要素、及び光散乱要素を備える発光装置であって、前記固体状態光源が、一次放射の第１部分を前記光散乱要素への入射に関して、及び、前記一次放射の第２部分を少なくとも１つの二次放射への少なくとも部分変換のために前記変換要素への入射に関して、放射するように設けられ、前記光散乱要素が、前記一次放射の前記第１部分、前記二次放射、及び前記変換要素において変換されていなかった前記一次放射の前記第２部分の一部、からランバート光分布を有する混合放射を生成するように設けられ、前記一次放射の前記第１部分が、前記変換要素を通過することなく、前記発光器を離れる、発光装置によって達成される。結果として、変換要素における非放射な吸収による光損失は、少なくとも一次放射の第１部分に関して避けられるが、その理由は、この第１部分は、光散乱要素へ入射する前にも光散乱要素から出た後にも、変換要素を通過しないからである。本発明に従うと、発光装置は、最新状態と比較した同じ色点において増加された効率を有する。１つ又は複数の無機及び／又は有機ＬＥＤ、又はレーザーダイオードが、固体状態光源として使用され得る。従属項は、明確に、一次放射の第２部分を二次放射へ完全に変換する発光装置の実施例も含む。
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
a）IVF由来ヒト胚を胚培養培地中で培養する工程；
b）胚培養培地から検査試料を得る工程；
c）約2454±5、2648±5.3、2665±5.3、2684±5.4、2778±5.6、4093±8.2、37820±76、45873±92、282390±565、および435170±870ダルトンの分子量を有するバイオマーカーからなる群より選択される、検査試料中の少なくとも1つのバイオマーカーの量を検出する工程；
d）検査試料中の少なくとも1つのバイオマーカーの量を、良好な発生能を欠くことが既知である対照試料中の同一の少なくとも1つのバイオマーカーの量と比較する工程
を含む、IVF由来ヒト胚における発生能の診断を支援するための方法であって、
e）対照試料と比較した、検査試料中の少なくとも1つのバイオマーカーの差次的発現を、良好な発生能の診断と関連付ける、方法。
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
基板、前記基板上の第１金属の第１層および前記基板上の第２金属の第２層を含んでなる交互くし型マイクロ電極であって、前記第１層が、第１端部で接続しているが第２端部では接続していない複数のラインマイクロ電極を含んでなり、前記第２層が、第１端部では接続しているが第２端部では接続していない複数のラインマイクロ電極を含んでなり、前記第１層のラインマイクロ電極および前記第２層のラインマイクロ電極が、互いの中に延びているが互いに接触せず、それにより交互くし型マイクロ電極アレイを形成しており、前記第１金属が前記第２金属とは異なる交互くし型マイクロ電極。
【請求項２】
前記の第１層のラインマイクロ電極と前記の第２層のラインマイクロ電極が互いに接触しないことを確実にするのに使用される位置決め手段を含む、請求項１に記載の交互くし型マイクロ電極。
【請求項３】
前記の第１金属の第１層のための第１電気接続手段、および、前記の第２金属の第２層のための第２電気接続手段、の少なくとも一方を含む、請求項１または２に記載の交互くし型マイクロ電極。
【請求項４】
前記第１金属の第１層が厚膜印刷第１層であり、かつ／または、前記第２金属の第２層が厚膜印刷第２層である、請求項１−３のいずれかに記載の交互くし型マイクロ電極。
【請求項５】
前記第２層のラインマイクロ電極の線幅が、基板上の第２層の堆積後に線幅を低減さてある、請求項１−４のいずれかに記載の交互くし型マイクロ電極。
【請求項６】
前記交互くし型マイクロ電極の一部を密封するが、交互くし型マイクロ電極アレイを密封しない密封層を含む、請求項１−５のいずれかに記載の交互くし型マイクロ電極。
【請求項７】
前記第１金属が白金であり、かつ／または、前記第２金属が金であり、かつ／または、前記基板がセラミック基板である、請求項１−６のいずれかに記載の交互くし型マイクロ電極。
【請求項８】
交互くし型マイクロ電極を製造する方法であって、基板を提供する工程、前記基板上に第１金属の第１層を提供する工程および前記基板上に第２金属の第２層を提供する工程を含んでなるプロセスであって、前記第１層が、第１端部で接続しているが第２端部では接続していない複数のラインマイクロ電極を含んでなり、前記第２層が、第１端部では接続しているが第２端部では接続していない複数のラインマイクロ電極を含んでなり、前記第１層のラインマイクロ電極および前記第２層のラインマイクロ電極が、互いの中に延びているが互いに接触せず、それにより交互くし型マイクロ電極アレイを形成しており、前記第１金属が前記第２金属とは異なる、交互くし型マイクロ電極を製造する方法。
【請求項９】
前記の第１層のラインマイクロ電極と前記の第２層のラインマイクロ電極が互いに接触しないことを確実にするのに使用される位置決め手段の提供を含む、請求項８に記載の方法。
【請求項１０】
前記の第１金属の第１層のための第１電気接続手段の提供、および／または、前記の第２金属の第２層のための第２電気接続手段の提供を含む、請求項８または９に記載の方法。
【請求項１１】
前記第１金属の第１層が厚膜印刷第１層であり、かつ／または、前記第２金属の第２層が厚膜印刷第２層である、請求項８−１０のいずれかに記載の方法。
【請求項１２】
前記第２層のラインマイクロ電極の線幅は、基板上への第２層の堆積後に線幅を低減さる、請求項８−１１のいずれかに記載の方法。
【請求項１３】
前記交互くし型マイクロ電極の一部を密封するが、交互くし型マイクロ電極アレイを密封しない密封層の提供を含む、請求項８−１２のいずれかに記載の方法。
【請求項１４】
請求項１−７のいずれかに記載の交互くし型マイクロ電極を含んでなる電気化学センサー。
【請求項１５】
水中の性質を検知するための水検知装置の形態である、請求項１４に記載の電気化学センサー。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
コンピュータ実施認証インターフェイスシステムであって、
コンピュータネットワークに接続されたサーバと、
前記コンピュータネットワークに接続されたユーザコンピュータとを備え、
前記ユーザコンピュータおよび前記サーバは、前記コンピュータネットワークを通じて互いに情報を送受信するようにプログラミングされ、前記コンピュータ実施認証インターフェイスシステムはさらに、
ユーザ名に相関付けられた、ユーザに固有の画像を含む組合せ画像と、入力インターフェイスとを含むグラフィカルインターフェイスを備え、
前記サーバは、
前記ユーザコンピュータから受信した前記ユーザ名に応答して前記ユーザコンピュータに前記グラフィカルインターフェイスを送信するようにプログラミングされ、前記ユーザコンピュータは、前記サーバにより送信された前記グラフィカルインターフェイスを受信して表示するようにプログラミングされ、前記サーバはさらに、
値を変更することによって前記組合わせ画像のファイルサイズをランダムに変えて、不正なエンティティによる前記組合わせ画像の正確な識別を防止するようにプログラミングされる、コンピュータ実施認証インターフェイスシステム。
【請求項２】
前記入力インターフェイスは、前記ユーザに固有の画像の上に重ね合わされる、請求項１に記載の認証インターフェイスシステム。
【請求項３】
前記グラフィカルインターフェイスはさらに、ユーザに固有のテキスト要素を含む、請求項１に記載の認証インターフェイスシステム。
【請求項４】
前記入力インターフェイスは、キーパッドまたはキーボードの形態を取る、請求項１に記載の認証インターフェイスシステム。
【請求項５】
前記ユーザに固有のテキスト要素は、予め選択されて、かつ、ユーザにより規定されたテキスト句からなる、請求項３に記載の認証インターフェイスシステム。
【請求項６】
前記ユーザに固有の画像は、動画要素または写真を含む、請求項１に記載の認証インタ
ーフェイスシステム。
【請求項７】
前記画像は、前記サーバによりチェックサム暗号化される、請求項１に記載の認証インターフェイスシステム。
【請求項８】
前記入力インターフェイスは、前記サーバによりシフト暗号化される、請求項１に記載の認証インターフェイスシステム。
【請求項９】
コンピュータ実施認証インターフェイスシステムであって、
コンピュータネットワークに接続されたサーバと、
前記コンピュータネットワークに接続されたユーザコンピュータとを備え、
前記ユーザコンピュータおよび前記サーバは、前記コンピュータネットワークを通じて互いに情報を送受信するようにプログラミングされ、前記コンピュータ実施認証インターフェイスシステムはさらに、
ユーザ名に相関付けられた、ユーザに固有の画像を含む組合せ画像と、入力インターフェイスとを含むグラフィカルインターフェイスを備え、
前記ユーザコンピュータは、ユーザ名インターフェイスを受信して表示するように、また、前記サーバに対し、前記ユーザ名インターフェイス内にユーザにより入力されたユーザ名を送信するようにプログラミングされ、前記サーバは、前記ユーザ名と、ユーザコンピュータの予め規定されたリストとを相関付けるようにプログラミングされ、前記サーバは、前記ユーザコンピュータの身元が前記予め規定されたリストに記載されたコンピュータのうちの１つに一致した場合、前記ユーザコンピュータに、個人化されたグラフィカルインターフェイスを送信するようにプログラミングされる、コンピュータ実施認証インターフェイスシステム。
【請求項１０】
前記サーバは、前記ユーザコンピュータの前記身元がユーザコンピュータの前記予め規定されたリストに記載されたユーザコンピュータのうちの１つの身元に一致しなかった場合、前記ユーザコンピュータに第２のインターフェイスを送信するようにプログラミングされ、前記第２のインターフェイスは、前記ユーザから識別子を受取って前記ユーザの身元を認証する、請求項９に記載の認証インターフェイスシステム。
【請求項１１】
前記第２のインターフェイスは、前記ユーザ名に相関付けられた、ユーザに固有の画像により個人化されて、前記サーバの身元を検証する、請求項１０に記載の認証インターフェイスシステム。
【請求項１２】
前記グラフィカルインターフェイスはさらに、前記ユーザにより前記グラフィカルインターフェイス内に入力された特定の識別子に応答して表示されるデータベースから取り出された文書の画像を含む、請求項１に記載の認証インターフェイスシステム。
【請求項１３】
前記画像の少なくとも一部は、識別子の入力前に視認可能であり、
前記文書の分かりにくくされた部分は、前記特定の識別子に応答して視認可能となる、請求項１２に記載の認証インターフェイスシステム。
【請求項１４】
ユーザと、ユーザの情報を保持するエンティティとの間でのコンピュータ実施認証方法であって、前記エンティティは、前記情報に対するユーザアクセスを提供する前に、前記ユーザの身元を認証するように構成され、前記方法は、
前記ユーザに相関付けられた、ユーザに固有の画像を含む組合せ画像と、入力インターフェイスとを含む、シフト暗号化されたグラフィカルインターフェイスを前記ユーザに提供し、それにより、前記ユーザが、前記情報にアクセスを試みる前に前記エンティティを認証できるようにするステップを含む、コンピュータ実施認証方法。
【請求項１５】
前記ユーザは、前記情報にアクセスするため使用されている特定のコンピュータを識別する識別子を提供し、前記エンティティは、前記特定のコンピュータを識別する前記識別子と、前記ユーザに関連付けられたコンピュータの予め規定されたリストに記載されたコンピュータとの一致を行なって初めて、前記グラフィカルインターフェイスを提供する、請求項１４記載の方法。
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
コンピュータによって実施される方法であって、
第1のクライアント（１０２）のサイドバーモジュール（１０８）によって、第1のクライアント（１０２）上で実行されているサイドバーアプリケーション（２０４）によって表示されたアイテムに関するユーザによる選択に関連付けられているイベントを受け取るステップであって、前記サイドバーアプリケーション（２０４）が、前記サイドバーアプリケーション（２０４）にとって外部のソースからの複数のタイプのアイテムを集めるように構成できるアプリケーションであるステップと、
第1のクライアント（１０２）のサイドバーモジュール（１０８）によって、外部クライアント（１０６）に関連付けられている識別子を受け取るステップであって、前記外部クライアント（１０６）が前記第1のクライアント（１０２）とは異なるステップと、
前記サイドバーアプリケーション（２０４）を使用して、前記アイテムを前記外部クライアント（１０６）へ送信することを開始するステップとを含み、
前記アイテムは、前記サイドバーアプリケーション（２０４）用のプラグインパネル（２１６，２２２，２２６，２３０）であることを特徴とする方法。
【請求項２】
前記プラグインパネル（２１６，２２２，２２６，２３０）が、関心のある１つ以上のアイテムを管理する、請求項1に記載の方法。
【請求項３】
前記プラグインパネル（２１６，２２２，２２６，２３０）は、ニュースプラグイン（２１６）、三目並べプラグイン（２２２）、Eメールプラグイン（２２６）または画像プラグイン（２３０）である、請求項1または2に記載の方法。
【請求項４】
前記プラグインパネルは、Eメールクライアント（２２８）を使用して、Eメールサーバ（２３０）からEメールを検索し、それらのEメールをユーザに提示するEメールプラグイン（２２６）である、請求項3に記載の方法。
【請求項５】
前記アイテムを受信するための前記外部クライアント（１０６）上のアプリケーションを選択するステップをさらに含む、請求項1から4のうちのいずれか一項に記載の方法。
【請求項６】
前記外部クライアント（１０６）上の前記アプリケーションが、別のサイドバーアプリケーション（２１０）、Eメールクライアント（２２８）、またはインスタントメッセージクライアントである、請求項5に記載の方法。
【請求項７】
前記外部クライアント（１０６）上の前記アプリケーションが、別のサイドバーアプリケーション（２１０）である、請求項6に記載の方法。
【請求項８】
前記サイドバーアプリケーション（２０４）が、前記複数のタイプのアイテムを集めるためにプラグインを使用し、それぞれのプラグインが、前記プラグインによって管理されているアイテムを前記外部クライアント（１０６）へ送信するために前記サイドバーアプリケーション（２０４）を使用する、請求項1から7のうちのいずれか一項に記載の方法。
【請求項９】
前記アイテムを送信するステップが、前記サイドバーアプリケーション（２０４）が第2の別個のアプリケーションの通信インターフェースにアクセスするステップを含み、前記別個のアプリケーションが、前記アイテムを前記外部クライアント（１０６）へ送信する、請求項1から8のうちのいずれか一項に記載の方法。
【請求項１０】
前記第2の別個のアプリケーションが、インスタントメッセージアプリケーションである、請求項9に記載の方法。
【請求項１１】
前記アイテムを送信するステップが、前記アイテムを送信するための前記サイドバーアプリケーション（２０４）に統合されている通信インターフェースを使用するステップを含む、請求項1に記載の方法。
【請求項１２】
前記アイテムの送信元（１０２）に関連付けられている識別子を送信するステップをさらに含む、請求項1から11のうちのいずれか一項に記載の方法。
【請求項１３】
前記外部クライアント（１０６）のユーザが前記アイテムの前記送信の受け入れを承認しない場合に前記送信を終了するステップをさらに含む、請求項1から12のうちのいずれか一項に記載の方法。
【請求項１４】
前記アイテムを送信するステップが、前記アイテムを前記第1のクライアント（１０２）からサーバ（１０４）へ、そして前記サーバ（１０４）から前記外部クライアント（１０６）へ送信するステップを含む、請求項1から13のうちのいずれか一項に記載の方法。
【請求項１５】
前記外部クライアント（１０６）上の別のサイドバーアプリケーション（２１０）からの受信されるアイテムを前記第1のクライアント（１０２）において受信するステップと、前記第1のクライアント（１０２）上で実行されている前記サイドバーアプリケーション（２０４）を使用して前記受信されるアイテムを表示するステップとをさらに含む、請求項1から14のうちのいずれか一項に記載の方法。
【請求項１６】
自分にとって外部のソースから受信された複数のタイプのアイテムを表示用として集めるように構成できるサイドバーアプリケーション（２０４）と、
アイテムを選択する入力、および前記アイテムを受信するための外部クライアント（１０６）を選択する入力をユーザから受け取るように機能する前記サイドバーアプリケーション（２０４）のユーザインターフェースと、
前記アイテムを第1のクライアント（１０２）上の前記サイドバーアプリケーション（２０４）から前記外部クライアント（１０６）へ送信するための手段とを含み、
前記アイテムは、前記サイドバーアプリケーション（２０４）用のプラグインパネル（２１６，２２２，２２６，２３０）であることを特徴とするシステム。
【請求項１７】
前記サイドバーアプリケーション（２０４）が、関心のある１つ以上のアイテムを管理するプラグインを含む、請求項16に記載のシステム。
【請求項１８】
前記プラグインパネル（２１６，２２２，２２６，２３０）は、Eメールクライアント（２２８）を使用して、Eメールサーバ（２３０）からEメールを検索し、それらのEメールをユーザに提示するEメールプラグイン（２２６）である、請求項16または17に記載のシステム。
【請求項１９】
送信するための前記手段が、前記サイドバーアプリケーション（２０４）とは別個のアプリケーション内に含まれ、前記手段が、前記アイテムを前記外部クライアント（１０６）へ送信するために前記サイドバーアプリケーション（２０４）によって使用される、請求項16に記載のシステム。
【請求項２０】
実体のある機械可読情報媒体内で実体を伴って具体化されるコンピュータプログラム製品であって、実行されると、請求項1から15の方法のうちのいずれか１つを実行する命令を含むコンピュータプログラム製品。
【手続補正書】
【提出日】平成21年10月13日(2009.10.13)
【手続補正１】
【補正対象書類名】明細書
【補正対象項目名】００１８
【補正方法】変更
【補正の内容】
【００１８】
２ｍｉｌ厚のニッケル、Ａｕ／Ｃｏを被覆した２ｍｉｌ厚のニッケル、Ａｕ／Ｃｏを被覆した０.５ｍｉｌ厚のニッケル、２ｍｉｌ及び４μｍ厚のＡｌホイルを含む数種の基板を更に調べた。これらの基板のうち、２ｍｉｌ厚のニッケル及びＡｕ／Ｃｏを被覆した２ｍｉｌ厚のニッケルが最高の接着を示した。ニッケル基板を７００℃で１時間、処理して、絶縁層（ＮｉＯ）の薄層（約２μｍ）を形成した後、２００オングストロームのＣｏ及び２０００オングストロームのＡｕで被覆した。アニール後のテープ試験の結果、より厚いＮｉ基板（２ｍｉｌ厚）上に調製された膜は、０.５ｍｉｌ厚のＮｉ基板上に調製されたものよりもより粉状でないことが分かった。厚い基板上に溶着したＬｉＣｏＯ2は、粒子と基板の間のより良好な結合を有し得る。キャスト処理中に形成された、より薄い基板のミクロな皺が、アニール処理中にＬｉＣｏＯ2層の完全性を破壊し得る。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
復号またはアドレス指定しないで連続的に入手可能なデータ内容を有する不揮発性プログラマブル・リード・オンリー・メモリ・セルであって、同メモリ・セルが、
ソース、ドレインおよびゲートを有する選択トランジスタであって、前記選択トランジスタのソースまたはドレインが第１の電圧と接続され、他方のソースとドレインが第１の接続点を形成する選択トランジスタと、
ソース、ドレインおよびゲートを有するヒューズ・トランジスタであって、
同ヒューズ・トランジスタのソース、ドレイン、またはソースとドレインが第２の接続点を形成し、前記第２の接続点が前記メモリ・セルの出力ポートであることと、
前記第１および前記第２の接続点が、電気的に接続されていることと、
ある論理レベルのデータが、前記選択トランジスタをオンにし、所定の期間中、前記ヒューズ・トランジスタのゲートに制御された高電圧を印加することにより、前記ヒューズ・トランジスタの少なくとも１つの物理的特徴を永続的に変えることにより前記セル内にプログラムされる、
ヒューズ・トランジスタと、
を備えるメモリ・セル。
【請求項２】
前記第１および第２の接続点が、ソース、ドレイン、およびゲートを有する少なくとも１つの高電圧保護トランジスタを通して接続され、前記高電圧保護トランジスタのソースまたはドレインが、前記第１の接続点に接続され、前記高電圧保護トランジスタのソースおよびドレインの他方が、前記第２の接続点に接続される請求項１に記載のメモリ・セル。
【請求項３】
前記メモリ・セルが、ＣＭＯＳプロセスにより実施される請求項１に記載のメモリ・セル。
【請求項４】
前記メモリ・セル・データが、前記ヒューズ・トランジスタのゲートに、前記プログラミング電圧よりも低い電圧を印加することにより確認される請求項１に記載のメモリ・セル。
【請求項５】
前記トランジスタの少なくとも１つの物理的特徴の変更が、前記ヒューズ・トランジスタの誘電体またはゲート酸化物を破壊することにより達成される請求項１に記載のメモリ・セル。
【請求項６】
トランジスタが、ＮＭＯＳトランジスタである請求項１に記載のメモリ・セル。
【請求項７】
トランジスタが、ＰＭＯＳトランジスタである請求項１に記載のメモリ・セル。
【請求項８】
前記メモリ・セルのＣＭＯＳ実施態様において、Ｎ型ウエル・インプラントが、Ｎ−ＷＥＬＬインプラントの存在により、傾斜接合を生成するＮ＋ソース／ドレイン・インプラントと一緒に共注入される請求項１に記載のメモリ・セル。
【請求項９】
前記メモリ・セルのＣＭＯＳ実施態様において、前記ヒューズおよび選択トランジスタが、「ネイティブ」である請求項１に記載のメモリ・セル。
【請求項１０】
マルチビット・メモリ・ブロックの一部となるように構成されるプログラマブル・リード・オンリー・メモリ回路であって、前記メモリ回路が、
少なくとも１つの選択装置、高電圧保護装置およびヒューズ装置が直列に接続している単一ビット・コア・メモリ・セルであって、前記選択装置をオンにして所定の期間中、前記ヒューズ装置のゲートに制御された高電圧を印加することによって、前記ヒューズ装置の少なくとも１つの物理的特徴を永続的に変えることにより、データが前記セル内にプログラムされる単一ビット・コア・メモリ・セルと、
前記単一ビット・コア・メモリ・セルの出力または外部からのデータ・ビットをラッチするための単一ビット・ラッチと、
前記単一ビット・ラッチ内容を制御するためのセットおよびリセット入力ラインと、
複数のメモリ・ブロックの中からメモリ・ブロックを選択するためのブロック選択入力ラインと、
メモリ・ブロックの複数のメモリ回路の中からメモリ回路を選択するための多重アドレス入力ラインと、
選択したメモリ・ブロックのメモリ回路のプログラミングを可能にするプログラミング入力ラインと、
を備えるプログラマブル・リード・オンリー・メモリ回路。    
【請求項１１】
データ格納素子と直列に結合している選択トランジスタを備える不揮発性メモリ・セルであって、
前記データ格納素子が、その導電率が制御できるように変わる導電性構造を備え、
前記選択トランジスタが、プログラミングのために前記メモリ・セルにアドレス指定するために制御することができるゲートを有し、
前記格納素子が、前記２つのトランジスタの結合点のところの前記格納素子を通る電流を検出することによりいつでも読み出される不揮発性メモリ・セル。
【請求項１２】
前記選択トランジスタおよび格納素子が、直列高電圧保護トランジスタを通して結合され、前記格納素子が、前記高電圧保護トランジスタを含む格納素子の結合点のところの格納素子を通る電流を検出することによりいつでも読み出される請求項１１に記載のメモリ・セル。
【請求項１３】
前記データ格納素子が、導電性構造と、データを物理的に格納するための導電性構造の下に位置する極薄誘電体と、前記極薄誘電体および前記導電性構造両方の下に位置する第１のドープした半導体領域とを備え、前記格納素子が、前記極薄誘電体を破壊することによりプログラムされる請求項１１に記載のメモリ・セル。
【請求項１４】
データ格納素子が、コンデンサである請求項１１に記載のメモリ・セル。
【請求項１５】
前記データ格納素子が、ゲート、前記ゲートの下に位置するゲート誘電体、およびその間のチャネル領域を形成するために、間隔をおいて位置する前記ゲート誘電体および前記ゲート両方の下に位置する第１および第２のドープした半導体領域を有するＭＯＳ電界効果トランジスタである請求項１１に記載のメモリ・セル。
【手続補正書】
【提出日】平成21年11月16日(2009.11.16)
【手続補正１】
【補正対象書類名】特許請求の範囲
【補正対象項目名】請求項１
【補正方法】変更
【補正の内容】
【請求項１】
原子炉圧力容器（１）とその蓋（３）との間に存在するシール溝（５）における損傷箇所を手動加工する工具であって、
少なくとも１つのグリップ（１２）を備えた本体（１０）を有し、
該本体（１０）が当接設置面（１３）を形成する下側面を有し、該下側面から、前記シール溝（５）の被加工面に当接支持するために用いられ且つ本体（１０）の長手方向（１５）に延びほぼ壁状に形成された２つのすべり要素（１４、１４ａ、１４ｂ）が垂直に突出し、
前記両すべり要素（１４、１４ａ、１４ｂ）が両者間に中間室（１９）を有し、該中間室（１９）内に、切削加工するための切除手段が、該切除手段がすべり要素（１４、１４ａ、１４ｂ）の先端面（３２）から本質的に突出しないように配置され、両すべり要素（１４、１４ａ、１４ｂ）の先端面（３２）が平らに形成され、共通の平面内を延びていることを特徴とする工具。